(57)【要約】  軸流圧縮機の形態をした第１の手段（１１）であって、ブレード（１１ａ）を自身の周囲に備え、且つ、所定の速度で空気を循環させる内蔵式モータユニット（１２）によって給電される第１の手段（１１）と、軸方向整流ステータの形態をした第２の手段（１３）であって、第３の手段（１４）で得られる空気流を送ることによって大気圧を超えた圧力を生成するように機能する第２の手段（１３）と、固定式遠心圧縮機の形態をした第３の手段（１４）であって、空気流に沿った温度上昇に依存して変化する静圧と共に回転流を生成するように機能する第３の手段（１４）と、空気流が自身を通じて流れ、軸方向整流装置／拡散装置を備えている第４の手段（１５）であって、前記軸方向整流装置の内部が、周囲空気を循環させるために中空になっており、前記軸方向整流装置の外部が、乱流を軸流に変換し、圧力を緩和させる第４の手段（１５）と、切替バルブを備えており、周囲大気と共に暖気流を調整するか又は調整しないために前記第４の手段の周囲に自身を適合させる第５の手段（１６）と、ボーテックスを備えており、空気流が冷気を生成する膨張チャンバーを備えている第７の手段（１８）に流入する前に、乱流効果によって空気流を加速させることができ、空気流を最終エアコントロールバルブ内部に向いている第６の手段（１７）と、を収容構造体（１０）内に連続的に備えている空気調和機である。
2010515862.tif 000002
【特許請求の範囲】
【請求項１】
軸流圧縮機の形態をした第１の手段（１１）であって、ブレード（１１ａ）を自身の周囲に備え、且つ、所定の速度で空気を循環させる内蔵式モータユニット（１２）によって給電される第１の手段（１１）と、
軸方向整流ステータの形態をした第２の手段（１３）であって、第３の手段（１４）で得られる空気流を送ることによって大気圧を超えた圧力を生成するように機能する第２の手段（１３）と、
固定式遠心圧縮機の形態をした第３の手段（１４）であって、空気流に沿った温度上昇に依存して変化する静圧と共に回転流を生成するように機能する第３の手段（１４）と、
空気流が貫流し、軸方向整流装置／拡散装置を備えている第４の手段（１５）であって、前記軸方向整流装置の内部が、周囲空気を循環させるために中空になっており、前記軸方向整流装置の外部が、乱流を軸流に変換し、圧力を緩和させるように機能する第４の手段（１５）と、
を収容構造体（１０）内に連続的に備えている空気調和機において、
第５の手段（１６）が、切替バルブを備えており、周囲大気と共に暖気流を調整するように又は調整しないように前記第４の手段の周囲に適合されており、
第６の手段（１７）が、ボーテックスを備えており、冷気を生成する膨張チャンバーを備えている第７の手段（１８）に空気流が流入する前に、乱流効果によって空気流を加速させることができ、選定された温度条件下において空気流を最終エアコントロールバルブ内部に向け、
すべての手段（１１，１２，１３，１４，１５，１６，１７，１８）が防護接続筐体（１０）内に配置されていることを特徴とする空気調和機。
【請求項２】
第１の手段（１１）は、その周囲に複数のブレード（１１ａ）が配設され且つプロペラコーンのような前側部分（１１ｃ）を有している、円筒状の本体（１１ｂ）を備えている軸流圧縮機であり、
前記軸流圧縮機が、モータユニット（１２）のテーパーピン（１２ａ）に取り付けられ、
２つの隣り合う前記ブレードが、対面し且つ拡散させる基部輪郭（１１ａ１）を有している状態において、ブレード（１１ａ）が、螺旋状に構成されていることを特徴とする請求項１に記載の空気調和機。
【請求項３】
モータユニット（１２）は、モータ（１２ｃ）に設けられた軸（１２ｂ）と、防護ハウジング（１２ｄ）と、前記モータを取り付けるためのフランジ（１２ｅ）とを備えており、
軸（１２ｂ）の端部には、軸流圧縮機（１１）を受容及び支持するために錐台状のヘッド（１２ａ）が形成されており、
任意の適切な方法によって、軸流圧縮機（１１）が前記錐台状のヘッドに接続されていることを特徴とする請求項１又は２に記載の空気調和機。
【請求項４】
第２の手段（１３）が、防護接続筐体（１０）に取付及び結合されている軸方向整流ステータとされ、
第２の手段（１３）が、取付フランジ（１２ｅ）と錐台状のヘッド（１２ａ）との間において軸（１２ｂ）に配置されており、
第２の手段（１３）が、前記軸流圧縮機に配設されているブレード（１１ａ）の延長部分として配置されているブレード（１３ａ）を備えており、
螺旋状に構成されているブレード（１１ａ）とは異なり、ブレード（１３ａ）は、前記軸方向整流ステータの軸長手方向に配置されていることを特徴とする請求項３に記載の空気調和機。
【請求項５】
ブレード（１３ａ）が、対称に構成されており、ティアドロップ状断面を形成するように勾配入口（１３ａ１）及び第２のテーパ状部分（１３ａ２）を有しており、
２つの連続する前記ブレードの位置が、収束輪郭を有している入口と、発散輪郭を有している出口と、ネック（１３ａ３）を有している狭小化された中間領域とを規定していることを特徴とする請求項４に記載の空気調和機。
【請求項６】
前記軸方向整流ステータは、上流プレナムチャンバー及び下流のプレナムチャンバーと共に構成されており、
前記軸方向整流ステータが、大気圧を超えた静圧を生成するように機能することを特徴とする請求項５に記載の空気調和機。
【請求項７】
第３の手段（１４）が、管状の本体（１４ａ）を備えている固定式遠心圧縮機から構成されており、
前記管状の本体が、モータユニット（１２）の周囲に係合しており、一の実施態様において、異なる特性を有している２つの一連の主ブレード（１４ｂ）と補助ブレード（１４ｃ）とを備えていることを特徴とする請求項２に記載の空気調和機。
【請求項８】
前記第３の手段が、形状及びピッチが異なる螺旋構造体として配置された５つのブレードから成る第１の一連の主ブレード（１４ｂ）を備えており、
これら主ブレード（１４ｂ）は、収容体（１４ａ）の周囲を一回転することができるように構成されており、
前記主ブレードは、事前に設定された間隙を有した状態において、振幅が前記主ブレードよりも小さな他の一連の補助ブレード（１４ｃ）を配置可能とするために、初め互いに平行であり、
前記補助ブレードが、主ブレード（１４ｂ）の開始断面に対応する捩れた構成であり、補助ブレード（１４ｃ）が、前記主ブレードよりも短いことを特徴とする請求項７に記載の空気調和機。
【請求項９】
主ブレード（１４ｂ）及び補助ブレード（１４ｃ）の入口部分は、すべて前記本体の長手軸線方向に向いており、
前記主ブレードの後方の出口の先端が、ラジアル平面内に配置されており、
前記主ブレードの両側面が、凹状になっていることを特徴とする請求項８に記載の空気調和機。
【請求項１０】
第４の手段（１５）が、第３の手段（１４）の軸方向における延長部分として配設されている軸方向整流ステータ／拡散装置から構成されており、
前記第４の手段が、モータユニット（１２ｃ）を囲むことができ、且つ、周囲空気を循環させることができる、中空且つ円筒状の本体（１５ａ）から構成されており、
前記第４の手段の周囲において、前記軸方向整流ステータ／拡散装置が、屈曲して構成された複数の主ブレード（１５ｂ）を有していることを特徴とする請求項２に記載の空気調和機。
【請求項１１】
入口領域内の前記主ブレードが、前記主ブレードの後端部における間隙よりも小さな分離間隙を有しているので、拡散効果を発揮し、前記主ブレードの後端は前記軸方向整流装置の長手方向に沿って向いており、
第３の手段（１４）から流れてくる空気のための入口領域は、第３の手段（１４）から流れてくる空気のための出口の延長部分であるように構成されていることを特徴とする請求項１０に記載の空気調和機。
【請求項１２】
前記軸方向整流装置／拡散装置が、切替弁から成る第５の手段（１６）と協働し、且つ、前記第５手段を位置決め及び係合することができ、
第５の手段（１６）が、軸方向整流装置（１５）の本体（１５ａ）内に係合する円筒状の本体（１６ａ）を有し、円筒状に構成され且つ突出したスカート（１６ｂ）を有しており、
クラウン状の前記スカートは、空気を本体（１６ａ）内に流入させ循環させることができる複数のスリット（１６ｃ）を備えており、
クラウン状のスカート（１６ｂ）には、クラウン状のスカート（１６ｂ）に対して角度的に旋回可能なように適合した形状を有しているリング（２０）が、分離可能に取付及び配置されており、
前記リングが、クラウン状のスカート（１６ｂ）に形成された前記リングの位置に依存して、スリットを完全又は部分的に閉じるために、スリット（１６ｃ）に適合した形状及び大きさとされるシャッターの形態をした堅固な部分（２０ａ）を有しており、
調整手段（２１）が、クラウン状のスカートに形成された前記リングを駆動させることが可能であり、前記切替バルブを適切な角度に向けるために、整流装置（１５）の本体に設けられていることを特徴とする請求項１０又は１１に記載の空気調和機。
【請求項１３】
第６の手段（１７）が、複数の主ブレード（１７ｂ）を備えている中空部がその中心に設けられた円筒状のディスク（１７ａ）を備えている、ボーテックスから構成されており、
前記主ブレードが、錐台状に構成された星形に配置されており、
前記ボーテックスが、ブレード同士の間における回転運動によって安定且つ一定の速度を空気流に付与するように機能し、下流に配置された膨張チャンバー内で生成された空気流を送るための準備をすることを特徴とする請求項２に記載の空気調和機。
【発明の詳細な説明】
【技術分野】
【０００１】
本発明は、暖気又は冷気を配給可能な可逆的空気調和装置の技術分野に関する。
【背景技術】
【０００２】
空気調和機及びその構成部品で利用される現行技術は、幾つかの大きな問題を有している。第１の欠点は、空気調和機が、特定気体の圧縮に固有の熱交換によって結露を発生させることである。第２の欠点は、現行の空気調和機が、環境にとって有害な気体を生成し、且つ、ＣＯ２の温室効果よりも大きな温室効果（最大２０００倍）を有している、冷媒を備えている場合があり、さらに冷媒が漏出する場合があるので、耐用寿命を終えた後のリサイクルが制限されることである。空気調和機は濾過装置を利用するが、現行の空気調和システムは、レジオネラ病を発症させる特定のバクテリアを成長及び増殖させる源として作用している場合がある。広範囲に亘る研究が非常に多数の空気調和機製造業者によって実施されているが、実際には、上述の欠点のすべて又は一部分が解消されていない。
【先行技術文献】
【特許文献】
【０００３】
【特許文献１】米国特許第４０５１６８９号明細書
【特許文献２】米国特許第４５９５０８４号明細書
【特許文献３】米国特許第１９５２２８１号明細書
【発明の概要】
【発明が解決しようとする課題】
【０００４】
従って、出願人の手法は、特に、結露と結露の除去とに関連する問題を克服するために、現行の空気調和機の設計に対して根本的に相違する。
【０００５】
従って、求められている本発明の第１の目的は、結露を発生させる空気調和機の構成部品を利用することなく、ひいては冷媒を利用することなく、凝縮効果を無くすことである。
【０００６】
求められている本発明の第２の目的は、環境汚染危機を構築する現象を一切防止することができる新規の空気調和機を発明することである。
【０００７】
求められている本発明の第３の目的は、現行の空気調和機と比較して高い競争力を有する経済状況下において製造可能な空気調和機を発明することである。
【０００８】
他の求められている目的は、空気調和機が発揮する冷暖房効果に非常に容易に適応可能な、且つ、コンピュータ化された手段によって制御可能な新しいレイアウトを有している空気調和機を発明することである。
【０００９】
これら目的及び他の目的は、以下の説明から明らかになる。
【課題を解決するための手段】
【００１０】
空気調和機によって利用されるコンセプトは、理想的な機能を発揮するために、気体を付加することなく流体機械を利用している。
【００１１】
本発明の第１の態様において、空気調和機は、軸流圧縮機の形態をした第１の手段であって、ブレードを自身の周囲に備え、且つ、所定の速度で空気を循環させる内蔵式モータユニットによって給電される第１の手段と、軸方向整流ステータの形態をした第２の手段であって、第３の手段で得られる空気流を送ることによって大気圧を超えた圧力を生成するように機能する第２の手段と、固定式遠心圧縮機の形態をした第３の手段であって、空気流に沿った温度上昇に依存して変化する静圧と共に回転流を生成するように機能する第３の手段と、空気流が貫流し、軸方向整流装置／拡散装置を備えている第４の手段であって、前記軸方向整流装置の内部が、周囲空気を循環させるために中空になっており、前記軸方向整流装置の外部が、乱流を軸流に変換し、圧力を緩和させるように機能する第４の手段とを収容構造体内に連続的に備えている空気調和機において、第５の手段が、切替バルブを備えており、周囲大気と共に暖気流を調整するように又は調整しないように前記第４の手段の周囲に適合されており、第６の手段が、ボーテックスを備えており、冷気を生成する膨張チャンバーを備えている第７の手段に空気流が流入する前に、乱流効果によって空気流を加速させることができ、選定された温度条件下において空気流を最終エアコントロールバルブ内部に向け、すべての手段が防護接続筐体内に配置されている点において相違する。
【００１２】
これら態様及び他の態様は、以下の説明から明らかになる。
【００１３】
本発明の目的は、単なる例示として、添付図面において説明されている。
【図面の簡単な説明】
【００１４】
【図１】本発明における空気調和プラントの斜視図である。
【図２】組み立てられた空気調和機のすべての構成部品を表わす。これら構成部品を収容する防護構造体は図示しない。
【図３】図２に表わす空気調和機に本質的に類している図面であるが、軸流圧縮機を動作させるために利用される組込型モータの一部分の分解図である。
【図４】軸流圧縮機を備えた第１の手段の前面図である。
【図５】図４に表わす軸流圧縮機の上面図である。
【図６】軸方向整流ステータを備えた第２の手段の上面図である。
【図７】固定式遠心圧縮機を備えた第３の手段の不等角投影図である。
【図８】図７に表わす第３の手段の等角投影図である。
【図９】固定式遠心圧縮機から出る空気流に沿って連続するブレードによって形成されたレーンの部分図である。
【図１０】軸方向整流装置／拡散装置を備えた第４の手段の不等角投影図である。
【図１１】切替バルブを備えた第５の手段の斜視図である。
【図１２】切替バルブに設けられた、軸方向整流装置／拡散装置から成る組立体の斜視図である。
【図１３】ボーテックスを備えた第６の手段を表わす。
【図１４】軸流圧縮機、軸方向整流ステータ、及びモータ組立体から成る組立体を表わす。
【図１５】防護保持構造体の２つの半体シェルを組み立てる前における、防護保持構造体内における構成部品から成る組立体を表わす。
【図１６】軸流圧縮機を駆動するモータユニットの構造を表わす、図１３のような斜視図である。
【図１７】軸方向整流ステータが係合した状態におけるモータユニットの、図１６のような斜視図である。
【発明を実施するための形態】
【００１５】
本発明の目的を理解し易くするために、添付図を参照しつつ、単なる例示として以下に説明する。
【００１６】
本発明における空気調和装置Ａは、図１に表わすプラントＩ内に配設されている。空気調和装置は、固定ブラケット１ａ又は任意の他の取付ブラケットを考慮して設計された外部防護ハウジング１に係合されている。この外部防護ハウジングは、例えば平行六面体の形状であり、公知の手段が設けられた側端フランジ１ｂ，１ｃを備えている。すなわち、側端フランジ１ｂには、二系統エアコントロールバルブ３に向かって開口しているダクト２と、適切な支持平面Ｐ、例えば壁やこれに類する部材に固定された吸気ダクト６に関連するダクト５に向かって開口しているエアコントロールバルブ４とが設けられている。この空気を配給するダクトは、吸気口のためにカーボン製の空気浄化フィルタ装置７を収容している。空気調和装置の排出口側の側端フランジ１ｃには、排気口に向かって開口している、暖気又は冷気のための排気ダクト８と、適切な支持平面Ｐに固定された排出ダクト９とが設けられている。
【００１７】
空気調和装置の特徴と該空気調和装置の様々な構成部品について、以下に説明する。
【００１８】
この空気調和装置は、上述のハウジング１によって囲まれ且つ保護されている収容構造体１０内に連続的に配置され且つ設けられた、複数の手段を備えている。収容構造体１０は、例えば円筒状に構成されており、２つの円筒状の半体シェル１０ａ，１０ｂとして作られている。これら半体シェルは、ボルト式固定具又は他の手段を利用することによって共に結合及び固定可能とされるストリップ１０ｃを、自身の長手方向における外縁に沿って有している。従って、空気調和装置の様々な構成部品が、互いに位置決め及び取付可能であり、前記収容構造体に対しても位置決め及び取付可能である。
【００１９】
従って、空気調和機は、
軸流圧縮機の形態をした第１の手段（１１）であって、ブレード（１１ａ）を自身の周囲に備え、且つ、所定の速度で空気を循環させる内蔵式モータユニット（１２）によって給電される第１の手段（１１）と、
軸方向整流ステータの形態をした第２の手段（１３）であって、第３の手段（１４）で得られる空気流を送ることによって大気圧を超えた圧力を生成するように機能する第２の手段（１３）と、
固定式遠心圧縮機の形態をした第３の手段（１４）であって、空気流に沿った温度上昇に依存して変化する静圧と共に回転流を生成するように機能する第３の手段（１４）と、
空気流が貫流し、軸方向整流装置／拡散装置を備えている第４の手段（１５）であって、前記軸方向整流装置の内部が、周囲空気を循環させるために中空になっており、前記軸方向整流装置の外部が、乱流を軸流に変換し、圧力を緩和させるように機能する第４の手段（１５）と、
を収容構造体（１０）内に連続的に備えている空気調和機において、
切替バルブを備えており、周囲大気と共に暖気流を調整するように又は調整しないように前記第４の手段の周囲に適合されている第５の手段（１６）と、
乱流効果を利用することによって空気流を加速させることができるボーテックスから構成されている第６の手段（１７）と、
ボーテックスの端部に配置されており、選定された温度条件下において空気流を最終エアコントロールバルブ内部に向けるために、冷気を生成する膨張チャンバーを構成している第７の手段（１８）と、
を備えている。
【００２０】
前記手段１１〜１８それぞれについて、添付図面を参照しつつ、以下に詳述する。
【００２１】
従って、図２及び図３は、様々な手段１１〜１８が組み立てられた状態を概略的に表わす。図３は、軸流圧縮機に関連する組立モータユニットを表わす。
【００２２】
第１の手段１１は、図４及び図５に表わす軸流圧縮機である。第１の手段は、例えばアルミニウムから作られた複数のブレード１１ａが自身の周囲に設けられた円筒状本体１１ｂと、プロペラコーンのような前部形状１１ｃとを備えている。前記ブレードのブレード面の表面は、ガラスビーズによってピーニング処理されている（glass-bead peened）。この処理の目的は、ロータを形成する圧縮機の回転によって発生するクリープを補償するために、且つ、ブレードにおける速度三角形の変形を防止するために、対応する表面を硬化させることである。従って、軸流圧縮機は、図１６に表わすモータユニットのテーパーピン１２ａに取り付けられている。２つの隣り合うブレードが、空気の体積速度を高めるために広がった、対面する基部輪郭１１ａ１を有している状態において、ブレード１１ａが螺旋状に構成されている。ブレードの速度三角形は、軸方向において円筒状の高速空気流を生み出すように構成されている。ブレードに沿った空気流の分布は、一般に気塊（air mass）を乱さないように、単一の軸線に亘って一定状態を維持している。従って、図１６に表わすモータユニット１２は、モータ１２ｃに設けられた軸１２ｂと、防護ハウジング１２ｄと、モータを取り付けるためのフランジ１２ｅとを備えている。軸１２ｂの端部には、軸流圧縮機１１を受容且つ支持するために、円錐台状ヘッド１２ａが形成されている。軸流圧縮機が前記円錐台ヘッドに嵌合するように構成される任意の適切な方法によって、軸流圧縮機１１が前記円錐台ヘッドに接続されている。
【００２３】
第２の手段１３は、任意の適切な接続手段によって筐体１０に取付且つ結合されている軸方向整流ステータとされる。第２の手段１３は、取付フランジ１２ｅと円錐台状部分１２ａとの間において軸部分１２ｃに配設されている。
【００２４】
整流ステータは、例えばアルミニウム製の１０枚のブレード１３ａを有している。好ましくはブレード１３ａの先端によって、筐体１１に接続される。これらブレード１３ａは、圧縮機に形成されたブレード１１ａの延長部分として配置されているが、螺旋状に構成されているブレード１１ａとは異なっている。ブレード１３ａは、軸方向整流ステータの長手軸線方向に配置されている。前記ブレードは、対称に構成されており、ティアドロップ状断面を形成するように勾配入口１３ａ１及び第２のテーパ状部分１３ａ２を有している。図６に表わすように、２つの連続するブレードの間には、収束輪郭を備えた入口と、発散輪郭を備えた出口とが形成されている。ブレードの第１の区間の前方の構成は、空気流を加速させることができる。第２の部分によって、著しい速度降下が発生し、圧力勾配が大きくなる。ブレード１３ａの外形は、次の手段内部に、すなわち固定式遠心圧縮機内部に流入する前に、空気流に対して適切な方向に屈曲している。この軸方向流れに対する整流ステータは、自身に対して上流及び下流に配置されたプレナムチャンバーを備えている。これら手段は図示しない。これらチャンバーの目的は、大気圧を超えた静圧を生成することである。
【００２５】
第３の手段１４は、図７、図８、及び図９に表わす固定式遠心圧縮機から構成されており、以下に説明されている。
【００２６】
この圧縮機１４は、一の特定の実施態様において、モータユニット１２の周囲に係合し、且つ、該モータユニットを収容する管状体１４ａと、異なる特性を有している２つの一連の主ブレード１４ｂと補助ブレード１４ｃとを備えている。一連の主ブレード１４ｂは、形状及びピッチが異なる螺旋構造体として配置された５つのブレードである。これら主ブレード１４ｂは、図９に表わす構成で収容体１４ａを中心として完全に一回転するようになっている。これら主ブレードは、事前に設定された間隙を有した状態において、振幅が小さな他の一連の補助ブレード１４を配置可能とするために、初め互いに平行である。これら補助ブレードは、主ブレード１４ｂの開始断面に対応する、捩れた構成である。補助ブレード１４ｃは、２分の１又は３分の１程度に短い。このように、静的遠心圧縮機の前部分では、代替的に等間隔に配置されたすべてのブレード１４ｂ，１４ｃが配置されていることがわかる。補助ブレードの長さが短い場合には、静的遠心圧縮機の他端が、主ブレードの先端を露呈させる。従って、乱流を発生させる連続的な主ブレード１４ｂの間における空間が狭められる。ブレード１４ｂ，１４ｃの入口部分は、すべて本体の長手方向に向かっている。主ブレードの後方出口先端はラジアル平面内に配置されている。空気を容易に循環させるために、すべての異なるタイプのブレードの前端及び後端が、テーパ状にされていることに留意すべきである。
【００２７】
ブレードの各側面の表面は、凹状とされ、特定の表面処理を成されていない。従って、静的遠心圧縮機１４によって、軸方向整流ステータ１３で生じる静圧を維持する一方で、空気流を加速させるために、第２の手段１３からの軸方向に流れる空気流を回転流に変換することができる。
【００２８】
ブレードに沿った軸方向の流れを保存し、且つ、様々なタイプのブレードによって生み出される乱流効果を組み合わせることによって、遠心運動が実現される。
【００２９】
各表面の重心の母線及び慣性中心に基づいて速度三角を算出した後に、ブレードは、幾つかの不規則な表面を突出させることによって構成されている。その後に、これら表面は、空気流のジャイロ効果を生み出すために、各ブレードの最後の表面上を流れることによって突出される。回転流が発生すると、回転流の発生によって、直ちに、空気流を旋回させることによって、且つ、支持表面同士の間において先細りするダクトを制限することによって生み出される遠心力に起因して、表面上の圧力が増大する。この段階において、静圧は、経路全体に沿った温度上昇に依存して変動する。
【００３０】
図１０に表わす軸方向整流装置／拡散装置から成る第４の手段１５の特徴について、以下に説明する。前記拡散装置は、第３の手段１４の軸方向における延長部分として配置されている。前記拡散装置は、モータユニット１２ｃを囲み、且つ、周辺空気を循環させることができる円筒状の本体１５ａから構成されている。前記拡散装置の周辺において、軸方向整流装置／拡散装置は、例えば湾曲した状態で配置されたアルミニウム製の複数の（１４枚の）ブレード１５ｂを有している。入口領域のブレードは、前記ブレードの後端部における間隙よりも小さな分離間隙（separation gap）を有しているので、拡散効果を発揮し、ブレードの後端は整流装置の長手方向に沿って向いている。第３の手段１４から流れてくる空気のための入口領域は、第３の手段１４から流れてくる空気のための出口の延長部分であるように構成されている。この第４の手段１５の目的は、渦状に構成された第６の手段１７に流入する前に循環する空気の温度を低減させるために、空気の乱流を直流に変換すること、及び圧力を僅かに緩和させることである。整流装置１５は、筐体内で所定の位置に固定されており、任意の適切な手段によって固定されている。
【００３１】
この軸方向整流装置／拡散装置は、切替弁から成る第５の手段１６と協働し、及び前記第５手段を位置決め且つ係合することができる。この切替バルブは、整流装置１５の本体１５ａ内に係合する円筒状の本体１６ａを有しており、シリンドリカルに構成された突出スカート１６ｂを有している。このクラウン状のスカートは、空気を本体１６ａ内に流入させ循環させることができる複数のスリット１６ｃを備えている。クラウン状のスカート１６ｂには、クラウン状のスカート１６ｂに対して角度的に旋回可能なように適合した形状を有しているリング２０が、分離可能に取付及び配置されている。このことを実現するために、リングは、クラウン状のスカート１６ｂに形成されたリングの位置に依存して、スリットを完全又は部分的に閉じるために、スリット１６ｃに適合する形状及び大きさとされるシャッターの形態をした堅固な部分２０ａを有している。調整手段２１は、リングをクラウン状のスカートに移動させることが可能であり、切替バルブを適切な角度に向けるために、整流装置１５の本体に設けられている。切替バルブの開閉の程度に依存して、上述の様々な手段によって生成及び加熱された空気と共に、周辺空気を排出及び混合することができる。
【００３２】
ボーテックスから構成されている第６の手段１７については、以下に説明する。この第６の手段は、円筒状のディスク１７ａに対応している。その中心には、例えばアルミニウム製の複数の（例えば１０枚の）ブレード１７ｂを収容している中空部分が設けられている。これらブレードは、錐台状に構成された星形に配置されている。このボーテックスは、ブレード同士の間における回転運動に亘って安定且つ一定の速度を空気流に付与するように機能し、冷気を生成し且つ下流に配置された延長チャンバー内で生成された空気流を送るための準備をする。延長チャンバーは、シリンドリカルに構成されており、プロペラコーン状の先端部１８ａを有している。
【００３３】
これら手段すべてから成る空気調整プラントは、上述の様々な手段から得られる空気循環効果の組み合わせを利用することによって、本発明の用途に応じて調整された温度範囲を有している暖気又は冷気を生成することができる。
【００３４】
モータユニット及び切替バルブは、これらの制御装置と同様に、コンピュータによってＲＳ２３２インターフェース又は他のインターフェースを介して制御可能とされるデジタル回路基板に接続されている。
【００３５】
本発明における空気調整プラントは、上述の様々な問題を解決する。様々な構成部品から成る構成１１及びブレードの数量は、空気調整装置の動作を最適化することを目的とするが、単なる例示として開示されている。
【００３６】
これら手段は、空気調整装置の特定の用途に従ってアルミニウム製である場合がある。これら手段は、動作条件を考慮して、プラスチック材料、複合材料、又は他の材料を成形して作られる場合がある。
【符号の説明】
【００３７】
１０  収容構造体
１１  第１の手段
１１ａ  ブレード（軸流圧縮機）
１１ａ１  基部輪郭
１１ｂ  円筒状の本体
１１ｃ  前側部分
１２  モータユニット
１２ａ  錐台状のヘッド
１２ｂ  軸
１２ｃ  モータ
１２ｄ  防護ハウジング
１２ｅ  フランジ
１３  第２の手段
１３ａ  ブレード
１３ａ１  勾配入口
１３ａ２  第２のテーパ状部分
１３ａ３  ネック
１４  第３の手段
１４ａ  管状の本体
１４ｂ  主ブレード
１４ｃ  補助ブレード
１５  第４の手段
１５ａ  中空且つ円筒状の本体
１５ｂ  主ブレード
１６  第５の手段
１６ａ  円筒状の本体
１６ｂ  クラウン状のスカート
１６ｃ  スリット
１７  第６の手段
１７ａ  円筒状のディスク
１７ｂ  主ブレード
１８  第７の手段
２０  リング
２０ａ  堅固な部分
２１  調整手段
【図１】
2010515862.tif 000003
【図２】
2010515862.tif 000004
【図３】
2010515862.tif 000005
【図４】
2010515862.tif 000006
【図５】
2010515862.tif 000007
【図６】
2010515862.tif 000008
【図７】
2010515862.tif 000009
【図８】
2010515862.tif 000010
【図９】
2010515862.tif 000011
【図１０】
2010515862.tif 000012
【図１１】
2010515862.tif 000013
【図１２】
2010515862.tif 000014
【図１３】
2010515862.tif 000015
【図１４】
2010515862.tif 000016
【図１５】
2010515862.tif 000017
【図１６】
2010515862.tif 000018
【図１７】
2010515862.tif 000019
【国際調査報告】
2010515862.tif 000020
2010515862.tif 000021
2010515862.tif 000022
2010515862.tif 000023